(57)【要約】      （修正有）【課題】ほぼサンダルの足形と同じまたは若干の相似縮小形で、かかとからつま先まで一体となりかつヒールの高さから土踏まず、足指付け根からつま先への滑らかの曲線を描き、つま先で反り返る形状の硬質樹脂プレートを提供する。【解決手段】ローリングプレートは、おもにヒールのついたサンダルやパンプスなどにも利用されることを予定しており、かかと１から、土踏まず２、つま先３にいたるまで硬質樹脂プレートを用いたつなぎ目のない一枚のプレートで、アウトソールとインソールの間に内蔵される。また、ローリングプレートは、ヒールの高さの低い場合でも同様な構造が可能であり、滑らかな曲線をもつローリングプレートであれば、インソールの裏側にもさらに衝撃吸収機能を追加することができ、凹凸の激しい地面でもより膝や腰に優しい歩行を可能とするサンダルの製造が可能となる。【選択図】図１
0003142700.tif 000002
【実用新案登録請求の範囲】
【請求項１】
サンダルなどかかと（ヒール）が足裏より高くなっている履物に内蔵される硬質樹脂製のプレートで、地面に垂直に接地するヒール部分から土踏まず、足指の付け根からつま先にかけてすべてが一体となり履物の背骨のように履物全体を支えるプレート。
【請求項２】
履物の底材及びかかと（アウトソール）と、足裏が接する中敷きにあたるインソールに挟まれる形で、当該履物に内蔵され、その幅はほぼ履物の足形に近い形状で履物全体を支え安定させる役割を果たす硬質樹脂製プレート。
【請求項３】
前記プレートにおいては、かかとからつま先にいたるまで継ぎ目や細かな凹凸のない一枚のプレートで、全体を通じて滑らかな曲線を描き、土踏まずからつま先に向かって、反り返った形状になっている硬質樹脂製プレート。
【考案の詳細な説明】
【技術分野】
【０００１】  この考案は、サンダルなどのヒールを持つ履物のねじれやたわみを防ぐため用いられる支持材やその形状、構造に関する技術についてのものである。
【背景技術】
【０００２】  通常、サンダルやパンプスなどある程度の高さのヒールを持つ履物では、ソール全体のねじれやたわみを防ぐために、かかとから土踏まずあたりまでにわたりアウトソール及びインソールの間にシャンクと呼ばれる支持プレートを挿入する。これは通常の靴などでヒールの高くないものにも存在する履物の背骨と呼ばれるもので、これによって履物自体の形状を維持するともに、耐久性を高め、足自体の保護にも役立つ。【０００３】  もともと、薄い金属板などを土踏まずにハトメでかしめて止めるなどしており、特にヒールの高い履物では、より形状維持力を高め、安定力を増すため、焼き入れした鋼鉄製のばね板をシャンクとして利用する場合も多かった。この場合、このシャンク取り付けに耐え得る強度を有する硬質の中底が使用されていた。
昨今、かかとから土踏まずまでを支持する幅の広いプラスチック製のシャンク（登録実用新案第３０６８２７０号）も登場したが、依然鋼鉄製のばね板シャンクを埋め込んだり、または、シャンク自体と中敷き（インソール）とのつなぎ目が生じる構造になっている。
【考案の開示】
【考案が解決しようとする課題】
【０００４】  従来型の硬質のシャンク（図５参照）を利用する場合、どうしてもヒール、アウトソール及びインソールに対して、強度にむらが生じ、一体性と安定性に欠け、ひいては、歩行時の安定性に影響を与えることで、利用者に疲労感を与えやすくなるという欠点があった。【０００５】  また、どうしても中底に凹凸が出てしまうため、インソールのデザインに制約が生じ、より機能的なインソールのデザインができなかった。
【課題を解決するための手段】
【０００６】  本考案により、ほぼサンダルの足形と同じまたは若干の相似縮小形で、かかとからつま先まで一体となりかつヒールの高さから土踏まず、足指付け根からつま先への滑らかの曲線を描き、つま先で反り返る形状の硬質樹脂プレートを提供し、インソールとアウトソールの中間に内蔵させる。
【考案の効果】
【０００７】  本考案により、サンダル全体の一体性と安定性が高まり、サンダル自体の強度並びに歩行の安定性が向上し、これにより利用者の安定継続したサンダルの利用が可能となった。【０００８】  また、本考案に基づく硬質樹脂プレートは、つま先において反り返った形状を有しており、これにより通常歩行時のかかと→土踏まず→つま先への体重移動時に、つま先で前記プレートがばねの役割を果たし、かかとが容易に前方に向かって上がるため、次の一歩を踏み出しやすく、歩幅が大きくなり、歩行速度が加速する（ローリング機能）効果がある。本考案に基づく硬質樹脂プレートをローリングプレートと呼称する所以である。【０００９】  本考案に基づくローリングプレートを内蔵するサンダルを利用することによりこのローリング機能が働き、歩幅が大きくなることで、普段使わない筋肉が通常の歩行により使わせることができ、このため体全体のシェイプアップ効果が期待でき、また、ふくらはぎの筋肉を普段よりより使うことで血流が改善され、むくみ等の解消も期待できる。【００１０】  本考案にもとづくローリングプレートは、滑らかな曲線を描き、つなぎ目や細かな凹凸なく均一にサンダル内に内蔵されるため、この上に位置するインソールも均等にサポートし、インソール自体における衝撃吸収やすべりどめなどの特殊機能のデザインを容易にする効果がある。
【実施例】  以下本考案を図示例に基づいて説明する。【００１１】  本考案のローリングプレートは、おもにヒールのついたサンダルやパンプスなどにも利用されることを予定しており、かかと（図１の１）から、土踏まず（図１の２）、つま先（図１の３）にいたるまで硬質樹脂プレートを用いたつなぎ目のない一枚のプレートで、アウトソールトインソールの間に内蔵される（図１参照）。【００１２】  前述のローリング機能は、このつま先の跳ね上がり（図１の３参照）があることによって可能となる。【００１３】  また、本考案のローリングプレートは、ヒールの高さの低い場合でも同様な構造（図２参照）が可能であり、滑らかな曲線をもつ本考案のローリングプレートであれば、インソールの裏側にもさらに衝撃吸収機能を追加することができ、凹凸の激しい地面でもより膝や腰に優しい歩行を可能とするサンダルの製造が可能となる。【００１４】  従来のような部分的なシャンクで支持するのではなく、一枚のローリングプレートのみで全体を支持し安定させる機能あるため、このローリングプレート自体をデザインすることも可能となり、これにより、つま先の反り返りとばねの効果を生かしたより激しい作業にも耐えるサンダルにも応用できる（図３参照）。【００１５】  応用の範囲は、本考案のローリングプレートのヒール自体の形状をカップ状に変形（図４の１）させたり、つま先や土踏まずなどの厚みを変えたり（図４の２、３）することで、多彩な対応が可能となる。
【図面の簡単な説明】
【００１６】
【図１】本考案のローリングプレートの標準的な使用例を示す図
【図２】本考案のローリングプレートのヒールの高さの低い場合の使用例を示す図
【図３】本考案のローリングプレートの激しい作業にも耐えるサンダルへの使用例を示す図
【図４】本考案のローリングプレートのヒール自体がカップ状に変形させた使用例を示す図
【図５】従来型の硬質シャンクを利用する場合の使用例を示す図
【符号の説明】
【００１７】１  かかと部分
２  土踏まず部
３  つま先の反り返り部分
【図１】
0003142700.tif 000003
【図２】
0003142700.tif 000004
【図３】
0003142700.tif 000005
【図４】
0003142700.tif 000006
【図５】
0003142700.tif 000007
【手続補正書】
【提出日】平成20年3月14日(2008.3.14)
【手続補正１】
【補正対象書類名】実用新案登録請求の範囲
【補正対象項目名】全文
【補正方法】変更
【補正の内容】
【実用新案登録請求の範囲】
【請求項１】
サンダルなどかかとが足裏より高くなっている履物に内蔵される硬質樹脂製のプレートで、地面に垂直に接地するヒール部分から土踏まず、足指の付け根からつま先にかけてすべてが一体となり履物の背骨のように履物全体を支えるプレート。
【請求項２】
履物の底材及びヒールと、足裏が接する中敷きにあたるインソールに挟まれる形で、当該履物に内蔵され、その幅はほぼ履物の足形に近い形状で履物全体を支え安定させる役割を果たすことを特徴とする請求項１記載のプレート。
【請求項３】
かかとからつま先にいたるまで継ぎ目や細かな凹凸のない一枚のプレートで、全体を通じて滑らかな曲線を描き、土踏まずからつま先に向かって、反り返った形状になっていることを特徴とする請求項１記載のプレート。